(57)【特許請求の範囲】
【請求項１】
容器口に嵌合する外筒と内筒とを有し、かつ外筒と内筒とを接続する肩部を有してなるキャップ体において、
外筒の外周に始端を有するバンドを巻回すると共に両者を第１薄肉部により分離可能に接続し、
バンドの分離終端において外筒に縦の薄肉部を設け、外筒と肩部との内側部に前記縦の薄肉部に続く薄肉部を設け、該薄肉部は肩部を一周して設けられており、前記縦の薄肉部から続く第２薄肉部と、該第２薄肉部よりも肉厚の第３薄肉部とによって構成され、
前記第３薄肉部はバンドの始端から分離終端の手前までの範囲に形成されると共に、第２薄肉部はバンドの分離終端を含む残りの範囲に形成されることを特徴とする容器口から分離容易なキャップ体。
【請求項２】
外筒とバンドとの間の間隙の上方部分には、バンドから一体的に内方に向かって傾斜する傾斜面が形成され、また、バンドから一体的に内方に向かって突出する縦リブが周方向に複数個形成されることを特徴とする請求項１に記載の容器口から分離容易なキャップ体。
【請求項３】
前記第２薄肉部は、前記第３薄肉部より狭い範囲に設けられていることを特徴とする請求項１または２に記載の容器口から分離容易なキャップ体。
【請求項４】
外筒の外周に巻回されたバンドは、外筒から分離されない部分を含めて外筒の略全周を取り囲んでいることを特徴とする請求項１〜３のいずれかに記載の容器口から分離容易なキャップ体。
【発明の詳細な説明】
【０００１】
【発明の属する技術分野】
本発明は、容器の口部に嵌合する合成樹脂製のキャップ体に関し、特に、使用後において容器とキャップ体を分別廃棄が容易となるように構成したキャップ体に関するものである。
【０００２】
【従来の技術】
最近、「容器包装に係る分別収集及び再商品化の促進等に関する法律」が施行され、ゴミの減量を目的に容器を使う特定事業者に再生利用の義務を課しているので、消費者側においてもその素材毎に分別して廃棄することが必要になってきている。
【０００３】
一般に容器、特にペットボトル、瓶等の口部に嵌合する合成樹脂製のキャップ体は、使用前に悪戯などで開蓋されないように口部に強固に打栓嵌合されている。従って、消費者がこのような状態の容器−キャップ構造体をからキャップ体を分離するするには容器又はキャップ体を金槌、カッタ−等を利用して破損しなければならず、危険が伴うものであった。
【０００４】
このような問題を解決するために、種々のキャップ構造が提案されている。例えば、実開平４−１１８３４８号に記載のキャップは、キャップ本体の容器口に嵌合する胴部（スカ−ト部）に周方向と垂直方向とに延びる切断可能な薄肉部を設け、薄肉部に囲まれた胴部の端部に把持片を設けて、把持片を外方に引っ張ることによって薄肉部を破断し、これにより容器口の外周に位置する胴部の一部を除去し、容器口からキャップを除去するように構成している。しかし、上記のようなキャップはキャップ本体に直接薄肉部を形成するので、成形時又は打栓操作時に破損するおそれがあり十分な構成とは言い難いものである。
【０００５】
また、打栓時のキャップの損傷を防止すると共に容器とキャップとの分離を容易にする提案がなされている（特開平７−３１５４０３号、特開平８−１５１０６３号公報参照）。このキャップは、キャップ本体の胴部（スカ−ト部）に予め複数の縦スリットを形成しておき、この胴部の外周面に環状側壁を一体に嵌合してなるものである。このキャップを打栓するとき、胴部の外周面に環状側壁が位置しているのでキャップが損傷しその機能が失われることもない。容器とキャップとを分離する時は環状側壁を何らかの手段で取り除けば、キャップ本体はその胴部に設けた縦スリットによって容易に容器口から取り除くことができる。しかし、このキャップの場合、キャップ本体のほかに環状側壁が必要となるツ−ピ−ス構造であるので、金型個数、製造工程の増加等においてコスト高になるという問題がある。
【０００６】
【発明が解決しようとする課題】
容器とキャップ体とを容易に分離させるためには、原理的にはキャップ体の胴部（スカ−ト部）を破断して、容器口とキャップ体とが嵌合している部分を弛緩させるか、露出させるかすることによって嵌合力を弱めてキャップ体を取り除く構成とすることになるが、ツ−ピ−ス構造はコスト面から避けることとし、ワンピ−スの構成でキャップ本体に直接薄肉部を設けたものであって成形時又は打栓時においても薄肉部が破断しないキャップ体を提供することを目的とする。
【０００７】
【課題を解決するための手段】
上記目的を達成するために、請求項１の発明では、容器口に嵌合する外筒と内筒とを有し、かつ外筒と内筒とを接続する肩部を有してなるキャップ体において、外筒の外周に始端を有するバンドを巻回すると共に両者を第１薄肉部により分離可能に接続し、バンドの分離終端において外筒に縦の薄肉部を設け、外筒と肩部との内側部に前記縦の薄肉部に続く薄肉部を設け、該薄肉部は肩部を一周して設けられており、前記縦の薄肉部から続く第２薄肉部と、該第２薄肉部よりも肉厚の第３薄肉部とによって構成され、前記第３薄肉部はバンドの始端から分離終端の手前までの範囲に形成されると共に、第２薄肉部はバンドの分離終端を含む残りの範囲に形成されることを特徴とするものである。
【０００８】
請求項２の発明では、請求項１に記載の発明において、外筒とバンドとの間の間隙の上方部分には、バンドから一体的に内方に向かって傾斜する傾斜面が形成され、また、バンドから一体的に内方に向かって突出する縦リブが周方向に複数個形成されることを特徴とする。
【０００９】
請求項３の発明では、請求項１または２に記載の発明において、前記第２薄肉部は、前記第３薄肉部より狭い範囲に設けられていることを特徴とする。
【００１０】
請求項４の発明では、請求項１〜３のいずれかに記載の発明において、外筒の外周に巻回されたバンドは、外筒から分離されない部分を含めて外筒の略全周を取り囲んでいることを特徴とする。
【００１１】
本発明のヒンジの構成によれば、バンドが外筒を一周しているので、打栓の際の衝撃を肩部で受けているので、縦の薄肉部及び肩部周辺の薄肉部に影響を与えないで被冠作業をすることができ、また、薄い薄肉部を縦の薄肉部に続けて設けかつ部分的に厚い薄肉部を広い範囲に設けたものであるから、肩部周辺の薄肉部の箇所は衝撃に強くかつ切断をする場合円滑容易に切断することができる。しかも、バンドを一周に渉って設けたことは容器口に対して加えられる熱に対し外筒を収縮する方向にはたらき容器とキャップ体の嵌合状態を強固なものとする。
【００１２】
【発明の実施の形態】
本発明のキャップ体は、ポリエチレン合成樹脂等で一体に形成されており、図１に示すように、キャップ体１は、胴部３と、その上部に連続する注ぎ部４と、注ぎ部４の内部を横切る閉塞壁５とを含み、胴部３は容器口Ｘの内側と外側とから同時に接する円筒状の内筒３Ａとその外周に位置する外筒３Ｂとからなる。また、閉塞壁５は把手６が一体に取り付けられ、しかもその下面には環状のスコア７が穿設されているので、把手を上方に引き揚げることにより、スコア７内の閉塞壁５を取り除き、充填液体を注ぎ出す流路を開口させることができる。円筒状のキャップ本体１のねじ部には、着脱自在にねじ込まれた円筒状の外蓋２が被冠されている。
【００１３】
胴部３には、外筒３Ｂを円周方向に剥ぎ取るためのバンド８が（第１）薄肉部９によって外筒３Ｂの外周に沿って接続形成されている。バンド８の終端において外筒３Ｂに形成された縦溝１０に続いて、外筒３Ｂをキャップ本体１の肩部１Ａから切り離す（第２）薄肉部１１と、この第２の薄肉部に続いて形成された第２の薄肉部より肉厚の（第３）薄肉部１２が肩部１Ａに沿って形成されている。
【００１４】
上記構成を更に詳細に図２乃至図７に基づいて説明する。
図２は、キャップ本体１の下面図である。バンド８は、同一幅の帯状物で、外筒部３Ｂの外周を取り囲むように配置されかつ外筒３Ｂに薄肉部９を介して接続されている。この実施例（図３参照）では、バンド８の上辺と外筒３Ｂの外周を薄肉部９によって一体に成形し、両者の間に上方部分を除いて、均一な間隙１５を保持するように成形されており、間隙１５の上方部分（薄肉部９が位置している部分）は断面形状で外方に位置する壁が内方に傾斜し、傾斜面１５Ａが形成されている。この傾斜面１５Ａはバンド８の上方部分を肉厚にし、バンドを引っ張る際の斜め裂けを防止する。
【００１５】
また、図２に示すように、バンド８は外筒３Ｂの外周を取り巻いているが、始端８Ａから終端８Ｂ（外筒に接続する部分）までの略２７０度範囲において分離可能であり、その他のバンド部分（Ｌの範囲）ではその両端に破断しない壁１６、１６が存在するので外筒３Ｂから分離しない。
【００１６】
図３は、図２の（イ）部分すなわち始端８Ａ付近の拡大断面図であり、始端のバンド８には始端８Ａを薄肉部９から分離するために指掛けとなる摘み１７（図１参照）が上方に突設されている。摘み１７を手前に強く引くと、バンド８の始端部が形成される。また、外筒３Ｂの上部は内筒３Ａを連結する肩部１Ａがあるが、その下面から肩部１Ａに向かって鋭角の溝２０を円周に沿って弧状に穿ち設けらることによって薄肉部１２を形成する。溝２０に隣接して、垂直線に対して４５度の傾斜面を有する環状のびん口シ−ル２１が設けられている。
【００１７】
図４は、図２の（ロ）部分の拡大断面図であり、バンド８の始端８Ａが外筒３Ｂから簡単に分離しないように始端８Ａ近傍には間隙１５を横切って形成された切断可能な補強壁１８が設けられている。
【００１８】
図５は、図２の（ハ）部分の拡大断面図であり、バンド８の内側に間隙１５に向けて突出したリブ１９が設けられている。図２に示すように、リブ１９は複数箇所に複数個形成されていて、バンド８を持って引っ張るときの滑り止めの役目を果たす。
【００１９】
図６は、図２の（ニ）部分すなわちバンド８の終端８Ｂ付近の拡大断面図である。バンド８を薄肉部を破断しながら分離するが、終端８Ｂでは壁１６が存在しかつ壁１６に沿って外筒３Ｂにその内側から設けられた縦溝１０と薄肉部１０Ａによって（図７参照）、破断線は第１の薄肉部９から第２の薄肉部１２へ移行するように構成されている。
【００２０】
なお、第２の薄肉部１１は第３の薄肉部１２より薄く形成されており、かつ第２の薄肉部１１は外周に寄って設けられているが、第３の薄肉部１２は図３に示すように外筒３Ｂの内壁がθだけ傾斜しているので、中心に寄って設けられている。また、図２に示すように、第２の薄肉部１１は縦溝１０の位置から肩部１Ａに沿って始端８Ａまでの約９０度の範囲に設けられている。そして第３の薄肉部１２は残部の２７０度の範囲に設けられ、両薄肉部１１、１２によって肩部１Ａの全周３６０度を切断可能にする。
【００２１】
なお、実施例において、キャップ本体と外蓋とが別体となったものについて説明したが、キャップ体と外蓋とが薄肉のヒンジにより一体に連結された構造のものにも本発明が採用できることは言うまでもないことである。
【００２２】
次に、作用について説明する。
まず、図３に示す位置において、摘み１７を持って手前に引けば、補強壁１８を破断し、暫時薄肉部９を切断しながらバンド８は引き出せば、後は一気にバンドの終端まで外筒３Ｂとバンド８を分離することができる。バンド８が取り除かれた図３に対応する断面形状は図８に示される状態となる。
【００２３】
バンドの終端８Ｂに到達したならば（図９）、少し力を入れてバンドを更に外方に引っ張ると、縦の薄肉部１０Ａを切断すると共に縦の薄肉部１０Ａの上部に接続された第２の薄肉部１１に切れ目を付けることができる。
第２の薄肉部１１はキャップ本体の肩部１Ａ周縁と外筒の上部との境目に形成されているので、更に強く外方に引けば（図１２）、バンドと共に外筒をキャップ本体から切断分離することができる（図１０、図１１、図１３参照）。
【００２４】
【効果】
請求項１及び請求項２の発明によれば、キャップ本体の外筒を大きく破断することになるので、容器口からキャップ本体を老人子供でも容易に取り除くことができる。
請求項３の発明によれば、容易にキャップ本体の外筒を破断することができ、キャップ体の取り除きを容易にし、しかも打栓操作の折の衝撃を吸収することができるので、ワンピ−ス構造の破断キャップして十分利用することができる。
請求項４の発明は、バンドがキャップ本体の外筒の全周を取り囲んでいるので縦の薄肉部を保護すると共に内容物の熱充填、シュリンク包装、加熱殺菌等容器口に対して加熱または加熱処理がされる場合が多いが、このような加熱下においては従来においてはアンダ−カットの部分が容器口に馴染む方にはたらきクルクル回ってしまうが、本発明にあってはバンドは収縮する方にはたらき、容器口とキャップ体とを一体化させることができる。しかもバンドが全周に位置することは円形を維持することなので従来の打栓装置の搬送においても何の支障もなく使用することができる。
【図面の簡単な説明】
【図１】本発明における外蓋をした状態のキャップ体に正面図で、一部を切り欠いて示した図である。
【図２】本発明のキャップ体の底面図である。
【図３】図２におけるイの箇所の拡大断面図である。
【図４】図２におけるロの箇所の拡大断面図である。
【図５】図２におけるハの箇所の拡大断面図である。
【図６】図２におけるニの箇所の拡大断面図である。
【図７】図２におけるニの付近の拡大面図である。
【図８】図３の断面図において、バンドを除去した状態を示す図である。
【図９】図６の断面図において、バンドを除去した状態を示す図である。
【図１０】図８の断面図において、外筒を肩部に対した除去した状態を示す図である。
【図１１】図９の断面図において、外筒を肩部に対した除去した状態を示す図である。
【図１２】本発明のキャップ体において、バンドと外筒の一部をキャップ本体から除去した状態の斜視図である。
【図１３】本発明のキャップ体において、バンドと外筒をキャップ体から全部除去した状態を示す斜視図である。
【符号の説明】
１      キャップ本体
２      外蓋
３Ａ    内筒
３Ｂ    外筒
８      バンド
８Ａ    バンドの始端
８Ｂ    バンドの終端
９      第１薄肉部
１０    縦溝（縦の薄肉部）
１１    第２薄肉部
１２    第３薄肉部
【図１】
0004465565.tif 000002
【図２】
0004465565.tif 000003
【図３】
0004465565.tif 000004
【図４】
0004465565.tif 000005
【図５】
0004465565.tif 000006
【図６】
0004465565.tif 000007
【図７】
0004465565.tif 000008
【図８】
0004465565.tif 000009
【図９】
0004465565.tif 000010
【図１０】
0004465565.tif 000011
【図１１】
0004465565.tif 000012
【図１２】
0004465565.tif 000013
【図１３】
0004465565.tif 000014